【手続補正書】
【提出日】平成16年7月22日(2004.7.22)
【手続補正１】
【補正対象書類名】明細書
【補正対象項目名】特許請求の範囲
【補正方法】変更
【補正の内容】
【特許請求の範囲】
【請求項１】
記憶装置及びその制御装置をそれぞれ有する主記憶システムと副記憶システムとを備えたストレージシステムであって、
前記主記憶システムの前記記憶装置と前記副記憶システムの前記記憶装置とは、互いに通信回線で接続されるとともに、リモートコピー手段をそれぞれ備え、
少なくとも前記主記憶システムの前記制御装置は、前記リモートコピー手段を制御するためのリモートコピー制御手段を備えており、
前記リモートコピー制御手段は、前記主記憶システムの前記記憶装置に記憶されている所定のデータを前記副記憶システム側へ転送させるデータ転送命令を前記記憶装置の前記リモートコピー手段へ発し、
前記データ転送命令を受けた前記リモートコピー手段は、前記データを前記記憶装置から読み出して前記通信回線を介して前記副記憶システムの前記リモートコピー手段へ送信し、
前記副記憶システムの前記リモートコピー手段は、受信した前記データを前記副記憶システムの前記記憶装置に格納する、
ことを特徴とするストレージシステム。
【請求項２】
前記主記憶システムの前記リモートコピー手段が前記副記憶システムの前記リモートコピー手段へ送信する前記データは、前記主記憶システムの前記記憶装置に記憶されている全てのデータであることを特徴とする請求項１に記載のストレージシステム。
【請求項３】
前記主記憶システムの前記リモートコピー手段が前記副記憶システムの前記リモートコピー手段へ送信する前記データは、前記主記憶システムの前記記憶装置に記憶されているデータにおける更新分の差分データであることを特徴とする請求項１に記載のストレージシステム。
【請求項４】
一つの前記主記憶システムに対して複数の前記副記憶システムを備えることを特徴とする請求項１に記載のストレージシステム。
【請求項５】
前記主記憶システムの前記リモートコピー手段は、前記副記憶システムそれぞれに対して前記データを分散して送信することを特徴とする請求項４に記載のストレージシステム。
【請求項６】
複数の前記副記憶システムは互いに通信回線を介して前記主記憶システムに対し階層状に接続されており、
前記主記憶システムに接続される前記副記憶システムの前記記憶装置は、前記データを記憶する二重の記憶手段と、これら記憶手段を制御する二重書き手段とを備え、
前記二重書き手段は、一方の前記記憶手段に記憶された前記データを他方の前記記憶手段に記憶させる二重書きの処理の実行中において、この二重書き処理を中断し、
前記副記憶システムの前記リモートコピー手段は、前記中断状態における前記他方の前記記憶手段に記憶された前記データを他の前記副記憶システム側へ送信することを特徴とする請求項４に記載のストレージシステム。
【請求項７】
副記憶システムに接続される主記憶システムであって、
前記主記憶システム及び前記副記憶システムは記憶装置及びその制御装置を備えており、
前記主記憶システムと前記副記憶システムの前記各記憶装置は、互いに通信回線で接続されるとともに、リモートコピー手段をそれぞれ備え、
前記主記憶システムの前記制御装置は、前記リモートコピー手段を制御するためのリモートコピー制御手段を備えており、
前記リモートコピー制御手段は、前記主記憶システムの前記記憶装置に記憶されている所定のデータを前記副記憶システム側へ転送させるデータ転送命令を前記記憶装置の前記リモートコピー手段へ発し、
前記データ転送命令を受けた前記リモートコピー手段は、前記データを前記記憶装置から読み出して前記通信回線を介して前記副記憶システムの前記リモートコピー手段へ送信する、
ことを特徴とする主記憶システム。
【請求項８】
前記主記憶システムの前記リモートコピー手段が前記副記憶システムの前記リモートコピー手段へ送信する前記データは、前記主記憶システムの前記記憶装置に記憶されている全てのデータであることを特徴とする請求項７に記載の主記憶システム。
【請求項９】
前記主記憶システムの前記リモートコピー手段が前記副記憶システムの前記リモートコピー手段へ送信する前記データは、前記主記憶システムの前記記憶装置に記憶されているデータにおける更新分の差分データであることを特徴とする請求項７に記載の主記憶システム。
【請求項１０】
前記主記憶システムの前記リモートコピー手段は、複数の前記副記憶システムそれぞれに対して前記データを分散して送信することを特徴とする請求項７に記載の主記憶システム。
【請求項１１】
主記憶システムに接続される副記憶システムであって、
前記主記憶システム及び前記副記憶システムは記憶装置及びその制御装置を備えており、
前記主記憶システムの前記記憶装置と前記副記憶システムの前記記憶装置とは、互いに通信回線で接続されるとともに、リモートコピー手段をそれぞれ備え、
少なくとも前記主記憶システムの前記制御装置は、前記リモートコピー手段を制御するためのリモートコピー制御手段を備えており、前記リモートコピー制御手段は、前記主記憶システムの前記記憶装置に記憶されている所定のデータを前記副記憶システム側へ転送させるデータ転送命令を前記記憶装置の前記リモートコピー手段へ発し、前記データ転送命令を受けた前記リモートコピー手段は、前記データを前記記憶装置から読み出して前記通信回線を介して前記副記憶システムの前記リモートコピー手段へ送信し、
前記副記憶システムの前記リモートコピー手段は、受信した前記データを前記副記憶システムの前記記憶装置に格納する、
ことを特徴とする副記憶システム。
【請求項１２】
副記憶システムに接続される主記憶システムのデータ複写方法であって、
前記主記憶システムと前記副記憶システムの各記憶装置は、互いに通信回線で接続されており、
前記主記憶システムの前記記憶装置に記憶されている所定のデータを前記副記憶システム側へ転送させるデータ転送命令を前記記憶装置へ発し、
前記データ転送命令を受けた前記記憶装置は、前記データを読み出して前記通信回線を介して前記副記憶システムの前記記憶装置へ送信する、
ことを特徴とする主記憶システムのデータ複写方法。
【請求項１３】
前記主記憶システムの前記記憶装置が前記副記憶システムの前記記憶装置へ送信する前記データは、前記主記憶システムの前記記憶装置に記憶されている全てのデータであることを特徴とする請求項１２に記載の主記憶システムのデータ複写方法。
【請求項１４】
前記主記憶システムの前記記憶装置が前記副記憶システムの前記記憶装置へ送信する前記データは、前記主記憶システムの前記記憶装置に記憶されているデータにおける更新分の差分データであることを特徴とする請求項１２に記載の主記憶システムのデータ複写方法。
【請求項１５】
複数の前記副記憶システムそれぞれに対して前記データを分散して送信することを特徴とする請求項１２に記載の主記憶システムのデータ複写方法。
【請求項１６】
主記憶システムに接続される副記憶システムのデータ複写方法であって、
前記主記憶システムと前記副記憶システムの各記憶装置は、互いに通信回線で接続されており、
前記主記憶システムが、前記主記憶システムの前記記憶装置に記憶されている所定のデータを前記副記憶システム側へ転送させるデータ転送命令を前記記憶装置へ発し、前記データ転送命令を受けた前記リモートコピー手段が、前記データを前記記憶装置から読み出して前記通信回線を介して前記副記憶システム側へ送信すると、
前記副記憶システムは、受信した前記データを前記副記憶システムの前記記憶装置に格納する、
ことを特徴とする副記憶システムのデータ複写方法。